(57)【要約】【課題】皿を簡単に出し入れすることができ、皿を安定して収納保持でき、しかも上面に凹凸がなくフラットに形成され一時的に食材、皿、その他の食器等の物品を載置することが可能な簡単な構成の皿立てを実現する。【解決手段】線材を矩形状に形成した両側の側面部２と、両側の側面部２が前面の前線材部４と、後面の後線材部７とでつながれているとともに、両側の側面部２の間に複数の仕切り線材９を備え、複数の仕切り線材９の間に所定の隙間１０が形成されており、この隙間１０に円盤状の皿を立てて収納可能であり、複数の仕切り線材９の水平な上面によって、物品を載置可能であり、両側の側面部２の下面の間に皿を保持する皿受け線材１５と、この皿受け線材１５と所定間隔を隔てた位置にある皿止め線材２０とを備えている。【選択図】図１
2008018005.tif 000002
【特許請求の範囲】
【請求項１】
線材を矩形状に形成した両側の側面部と、両側の側面部が前面の前線材部と、後面の後線材部とでつながれているとともに、両側の側面部の間に複数の仕切り線材とを備え、複数の仕切り線材の間に所定の隙間が形成されており、この隙間に円盤状の皿を立てて載置可能な皿立てであって、複数の仕切り線材の上面によって、物品を載置可能な水平面が形成されているとともに、両側の側面部の下面に皿を保持する皿受け線材と、皿受け線材と所定間隔を隔てた位置にある皿止め線材とを備えていることを特徴とする皿立て。
【請求項２】
請求項１記載の皿立てであって、皿止め線材は、皿受け線材より高い位置で皿を保持する皿保持線材と、皿保持線材の両端から下向きに屈曲した脚線材とで形成されていることを特徴とする皿立て。
【請求項３】
請求項２記載の皿立てであって、皿保持線材と皿受け線材の間に、複数の下部仕切り線材を備えていることを特徴とする皿立て。
【請求項４】
請求項２記載の皿立てであって、脚線材の下端をつなぐ架け渡し線材を備え、皿受け線材と架け渡し線材の間に、複数の下部仕切り線材を備えていることを特徴とする皿立て。
【請求項５】
請求項３または４記載の皿立てであって、平面視で、仕切り線材の間に、少なくとも１本の下部仕切り線材を備えていることを特徴とする皿立て。
【請求項６】
請求項１から５のいずれかに記載の皿立てが収容された棚を備えたキャビネットであって、棚が昇降機構により上下動可能に形成されているキャビネット。
【発明の詳細な説明】
【技術分野】
【０００１】
本発明は、システムキッチンの昇降棚等に設置して利用可能な皿立て及びこの皿立てを備えたキャビネットに関する。
【背景技術】
【０００２】
従来、収納棚の収納物品脱落防止装置において、リール等の収納物品の横倒れを防止するためにサポータが植設されたものが知られている（特許文献１参照）。また、キッチンにおいて皿等の物品を保持して収納する各種の手段がある。例えば、皿立てとして機能する水切り棚において、複数本のパイプが所定の間隙を保持して並設されたものが知られている（特許文献２参照）。
【０００３】
さらに、食器洗浄機等の食器かごにおいて、小皿、中皿、大皿を順に配列する皿配列部を設けたものが知られている（特許文献３参照）。また、皿等の食器を収納する水切りかごにおいて、皿等を一側面から保持する突起部を有する側面線材と、皿等を底面で保持する底面線材とからなるものも知られている（特許文献４参照）。
【０００４】
さらに、キッチンキャビネットの天板に載置される載置台において、横線材と縦線材により上面がフラットに形成されたものが知られている（特許文献５参照）。
【０００５】
さらに、図５に示すような皿立て２８も知られている。この皿立て２８は、線材で形成されており、水平な基枠線材２９に、略Ｍ型の複数の仕切り線材３０が左右方向に一定間隔をおいて起立し並設されて構成されている。このような皿立て２８を、例えば昇降庫内に設置して、仕切り線材３０間のそれぞれの隙間に皿１３（一例として想像線参照）を収納して保持させることができる。
【０００６】
なお、昇降可能な棚を備えた昇降棚付き収納庫は従来公知であり、その昇降のために、モータ駆動によりベルトを巻取り巻戻しする昇降機構は知られている（特許文献６参照）。また、モータ駆動により送りネジと送りナットで昇降部を上下方向に移動させる昇降機構も知られている（特許文献７参照）。
【特許文献１】実公昭５６−５３７０９号公報
【特許文献２】実開平５−５１２４０号公報
【特許文献３】特開２００１−２３１７３７号公報
【特許文献４】特開２００２−３３０８８０号公報
【特許文献５】特開２００５−０４６２８５号公報
【特許文献６】特開２００５−１３７８３０号公報
【特許文献７】特開平０９−７５１５０号公報
【発明の開示】
【発明が解決しようとする課題】
【０００７】
図５に示す従来例の皿立て２８は、上面が凹凸に形成されているので、上面に調理中の食材や配膳用の皿等の物品を載せて仮置したりすることができず、また、皿立て２８を棚板に設置した場合、前方（正面手前側）に皿１３が前方にはみ出したり転がって落下するようなこともある。
【０００８】
特許文献１に記載された棚板上に植設されたサポータでは、その上面に物品を載置することはできない。特許文献２の水切り棚では、皿立てに転用するとしても、皿止め具を設けるとその上面に物品を安定して載置しにくいし、皿止め具を設けないと横方向への皿の転動等が生じ皿を安定して置きにくい。そして、特許文献３、４は、皿を立てて収納することはできるが、皿を立てる部分に物品を載置するようなことはできない。
【０００９】
特許文献５では、コンロのそばに固定して上面に物品を載せることができるが、皿を立てるものではなく、仮に皿立てとして利用したとしても、その構造上、皿の出し入れを上方から行わなくてはならないので面倒である。
【００１０】
本発明は、上記従来の問題点を解決することを目的とし、皿がはみ出したり前方へ転動して落下するようなことがなく安定して収納保持でき、しかも上面に凹凸がなくフラットに形成され一時的に食材、皿、その他調理具や食器等の物品を載置することも可能であり、特に電動式の昇降棚付きキャビネット等、比較的スペースの制限された場所に置いて使用するのに好適な、簡単な構成の皿立て及びこの皿立てを備えたキャビネットを実現することを課題とする。
【課題を解決するための手段】
【００１１】
本発明は上記課題を解決するために、線材を矩形状に形成した両側の側面部と、両側の側面部が前面の前線材部と、後面の後線材部とでつながれているとともに、両側の側面部の間に複数の仕切り線材とを備え、複数の仕切り線材の間に所定の隙間が形成されており、この隙間に円盤状の皿を立てて載置可能な皿立てであって、複数の仕切り線材の上面によって、物品を載置可能な水平面が形成されているとともに、両側の側面部の下面に皿を保持する皿受け線材と、皿受け線材と所定間隔を隔てた位置にある皿止め線材とを備えていることを特徴とする皿立てを提供する。
【００１２】
上記皿立ての皿止め線材は、皿受け線材より高い位置で皿を保持する皿保持線材と、皿保持線材の両端から下向きに屈曲した脚線材とで形成されている構成としてもよい。
【００１３】
上記皿立てにおいて、皿保持線材と皿受け線材の間に、複数の下部仕切り線材を備えている構成としてもよい。
【００１４】
上記皿立てにおいて、脚線材の下端をつなぐ架け渡し線材を備え、皿受け線材と架け渡し線材の間に、複数の下部仕切り線材を備えている構成としてもよい。
【００１５】
上記皿立てにおいて、平面視で、仕切り線材の間に、少なくとも１本の下部仕切り線材を備えている構成としてもよい。
【００１６】
上記皿立てが収容された棚を備えたキャビネットであって、棚が昇降機構により上下動可能に形成されている昇降棚付きキャビネットは、上記皿立て特徴を十分活かすことができる。
【発明の効果】
【００１７】
本発明に係る皿立て及びこの皿立てを備えたキャビネットによれば、次のような効果が生じる。
（１）上面がフラットであるから、皿立て以外にも、調理中の食材、ボウル、ざる、鍋等の調理器具や食器等の各種の物品を、調理作業中に仮置きしたり、水切りのために一時的に置いたりするスペースとして使用できる。
【００１８】
（２）複数の仕切り線材の互いに隣接する隙間に、前方からスライド又は転動するようにして円盤状の皿の出し入れが可能であり、皿を高く持ち上げたりする必要がないので、高さのスペースの限られた昇降棚付きキャビネット等に特に有効的である。
【００１９】
（３）皿止め線材を設けることで、皿の前方へのはみ出し、転動による飛び出しや落下を防止することができる。
【発明を実施するための最良の形態】
【００２０】
本発明に係る皿立て及びこの皿立てを備えたキャビネットを実施するための最良の形態を実施例に基づき図面を参照して、以下説明する。
【実施例１】
【００２１】
図１は、本発明に係る皿立て及びこの皿立てを備えたキャビネットの実施例１を説明する図であり、この実施例１の皿立て１は、複数の線材が適宜曲げられ、互いに固定されて全体が形成されている。
【００２２】
皿立て１は、その左右両側には、線材を矩形状に形成した両側の側面部２を有する。両側の側面部２はその前面では、互いの下端角部３が前線材部４でつながれている。そして、両側の側面部２はその後面では、互いの上下端角部５、６がそれぞれ後線材部７、８でつながれている。
【００２３】
両側の側面部２の間において、複数の仕切り線材９が前線材部４と後線材部７間に架け渡され、複数の仕切り線材９のそれぞれの間に所定の隙間１０が形成されている。具体的には、複数の仕切り線材９は、それぞれ垂直部１１と水平部１２とから全体形状が¬形をしており、それぞれの垂直部１１の下端が前線材部４に固定され、水平部１２の後端が上側の後線材部７に固定されている。
【００２４】
これら複数の仕切り線材９で形成された隙間１０に円盤状の皿１３を立てて収納可能である。しかも、複数の仕切り線材９の上面によって、調理作業中の食材や配膳用の皿等の物品を載置可能なフラットな水平面が形成されている。
【００２５】
複数の仕切り線材９で形成された隙間１０の前端１４は開放されているので、円盤状の皿１３をこの隙間１０の前端１４からスライド又は転動して出し入れできる。従って、皿１３の出し入れの際に皿１３を上に高く持ち上げる必要がないので、この皿立て１を高さスペースの限られた棚に設置して使用する場合等に有効である。後述するが、特に、棚が電動式の昇降機構により上下動可能に形成されている昇降棚付きキャビネットに設置して使用する場合は有効的である。
【００２６】
両側の側面部２の互いの下面の間に皿を保持する皿受け線材１５が架け渡されて固定されている。この皿受け線材１５は、皿１３を受けて保持するとともに、皿立て１を設置する面、例えば、後述する図１（ｂ）、（ｃ）に示すような昇降棚１６の設置面１７に皿１３が直接接触することがないようにする。これにより、設置面１７に付着した水滴や埃に触れないので、清潔に保つことができる。
【００２７】
さらに、両側の側面部２の互いの下面の間に、皿受け線材１５と所定間隔を隔てた位置において、皿止め線材１８が架け渡されて固定されている。この皿止め線材１８は、皿受け線材１５より高い位置で皿１３を受けて保持する皿保持線材１９と、皿保持線材１９の両端から下向きに屈曲した脚線材２０とで、全体として門形に形成されている。
【００２８】
この皿止め線材１８は、それを前部に設ければ、前方に皿が転がって落下したり飛び出したりしないように皿１３を前方から受け止め、前後方向にも安定して皿１３を収納し保持する。前述のとおり、特に、昇降棚付きキャビネットに設置して使用する場合は、皿立ての特徴を十分活かすことができキャビネットの収納性はきわめて向上する。
【００２９】
図１（ｃ）は、皿立て１を備えた本発明の昇降棚付きキャビネットの実施例の構成を示す図である。この昇降棚付きキャビネット３０は、壁３１に固定されたキャビネット本体３２と、図示しないが周知の昇降機構（特許文献６、７参照）により上下動可能に形成されている昇降棚１６とから成る。本発明の昇降棚付きキャビネット３０の特徴は、皿立て１を昇降棚１６に設置した構成にある。
【００３０】
昇降棚１６に皿立て１を設置した場合に、昇降棚付きキャビネット３０は前後方向にスペースに制限があるために皿１３の前端が昇降棚付きキャビネット本体３２の内壁に接触したりひっかっかったりする問題が生じることが危惧されるが、本発明の皿立て１は、皿止め線材１８を設け、皿１３の前方への動きを規制したので、このような問題は生じない。
【実施例２】
【００３１】
図２は、本発明に係る皿立ての実施例２を説明する図である。この実施例２の皿立て２１は、実施例１の皿立て１とほぼ同じ構成であるが、図２（ａ）、（ｂ）に示すように、皿受け線材１５と皿保持線材１９の間に、複数の下部仕切り線材２２（斜め下部仕切り線材２２）が固定して取り付けられている。
【００３２】
具体的には、下部仕切り線材２２の上端は皿保持線材１９に固定され、下部仕切り線材２２の下端は皿受け線材１５にそれぞれ固定され、斜めに傾斜して取り付けられいてる。このように斜めに設けた下部仕切り線材２２を設けることで、皿を収納した際に、皿の下部を押さえることができるから、皿を安定して保持することが可能となる。また、これにより、仕切り線材９の高さを低く抑えることができ、皿立て１全体の高さも抑制でき、限られたスペースで用いることができるという効果もある。
【００３３】
複数の下部仕切り線材２２は、左右方向に一定の間隔（ピッチ）を置いて設けるが、この複数の下部仕切り線材２２を設けるピッチは、複数の仕切り線材９と同じでもよいし、さらに、平面視で、仕切り線材９の間に、少なくとも１本の下部仕切り線材２２を位置させて、仕切り線材９に較べて小さいピッチでもよい。
【００３４】
この実施例２の皿立て２１は、下部仕切り線材２２を平面視で複数の仕切り線材９と等間隔、且つ同じ位置に設けている。要するに、複数の下部仕切り線材２２は、仕切り線材９と同じピッチで設けている。
【実施例３】
【００３５】
図３は、本発明に係る皿立ての実施例３を説明する図である。この実施例３の皿立て２３は、実施例１の皿立て１とほぼ同じ構成であるが、この実施例３の特徴は、図３（ａ）に示すように、両側の脚線材２０の下端をつなぐ架け渡し線材２４を備えており、皿受け線材１５と架け渡し線材２４の間に、前後方向に並設された複数の下部仕切り線材２５（水平下部仕切り線材２５）を備えている構成である。
【００３６】
即ち、下部仕切り線材２５の前端は架け渡し線材２４に固定され、下部仕切り線材２５の後端は皿受け線材１５にそれぞれ固定され、水平に取り付けられている。この実施例３によると、皿１３は、その前後方向（皿の周縁方向）については、図３（ｃ）に示すように、皿受け線材１５と皿保持線材１９で支持されるから、皿１３は昇降収納庫内の設置面１７に接触することがないので清潔に維持される。
【００３７】
また、この実施例３の皿立て２３では、その４隅、即ち、左右の側面部２と前線材部４との交点、及び左右の側面部２と後線材部８との交点のそれぞれに、下方に伸びる脚２’を設ければ、さらに、皿１３は設置面１７により接触しにくくなるが、特に脚２’を設けなくても、上記皿１３が昇降収納庫内の設置面１７に接触することがなく清潔に維持される効果が生じる。特に、皿受け線材１５の両端を側面部２の下縁線部２ｕ上に固定すれば、皿１３を設置面１７より上方に位置させることができるので、皿１３は設置面１７に接触しにくくなる。                                                 
【００３８】
そして、皿１３は、その面方向（皿の上下面方向）については、図３（ｃ）、（ｄ）に示すように、下部仕切り線材２５を設けたので、皿１３の下部を下部仕切り線材２５に支持させ、そのやや上部を仕切り線材９の水平部１２で支持させ、皿１３を２箇所で安定に支持して収納することが可能となる。要するに、上部に仕切り線材を設けるとともに下部にも下部仕切り線材を設けているので、２つの支点で皿を支持することができ、安定した収納が可能となる。また、実施例２と同様、仕切り線材９の高さを低く抑えることができ、限られたスペースで用いることができるという効果もある。
【００３９】
ところで、複数の下部仕切り線材２５は、左右方向に一定の間隔（ピッチ）を置いて設けるが、この複数の下部仕切り線材２５を設けるピッチは、複数の仕切り線材９と同じでもよいし、さらに、平面視で、仕切り線材９の間に、少なくとも１本の下部仕切り線材２５を備えており、仕切り線材９に較べて小さいピッチでもよい。
【００４０】
実施例３の皿立て２３は、下部仕切り線材２５を平面視で複数の仕切り線材９と等間隔且つ同じ位置に設けるとともに、複数の仕切り線材９の互いに隣接する中間の位置に１本の下部仕切り線材２５を設けている。要するに、複数の下部仕切り線材２５は、仕切り線材９に較べて１／２のピッチで設けている。
【００４１】
実施例３の皿立て２３は、上記のようなピッチで複数の下部仕切り線材２５を設けているから、図３（ｄ）に示すように、収納すべきそれぞれの皿１３の大小に応じて下部仕切り線材２５を選択して収納することができる。即ち、下部仕切り線材のピッチを仕切り線材のピッチより小さくすることで、皿の大きさに応じて皿の収納角度を変化させて収納できるので、上下方向のスペースが制限されている収納庫内にも大小の皿を適宜収納することができる。
【００４２】
例えば、大きな皿２６は、その下端をある仕切り線材９の直下の下部仕切り線材２５に支持させ、その上端を隣接する仕切り線材９の水平部で支持させ、保持する大きな皿２６の傾斜角度θ（図３（ｄ）参照）を大きくし、より斜めに寝かせるように収納することで、上下方向の必要スペースをより小さくして、収納庫１６の頂壁２７に当てたりしないようにできる。また、それより小さい皿１３は、その下端を仕切り線材９の間に位置する下部仕切り線材２５に支持させるように使い分けが可能となっている。
【００４３】
（変形例）
図４は、本発明に係る皿立ての実施例３の変形例を説明する図である。この変形例の皿立て２３’は、実施例３とほぼ同じ構成であるが、実施例３と異なる構成は、図４（ａ）〜（ｄ）に示すように、皿受け線材１５と平行にもう１本の皿受け線材１５’を加えて設けた点である。なお、皿立て２３’は実施例３のような脚２’（図３（ａ）参照）は設けていないが、脚２’を設けてもよい。
【００４４】
この変形例の皿立て２３’によると、皿１３は、その前後方向（皿の周縁方向）については、図４（ｃ）に示すように、２本の皿受け線材１５、１５’と皿保持線材１９で支持されるから、より安定して保持でき、しかも皿１３は昇降収納庫内の設置面１７に接触することがないので清潔に維持される。
【００４５】
そして、皿１３は、その左右方向（皿の上下面方向）については、実施例３と同様で図４（ｃ）、（ｄ）に示すように、皿１３の下部を下部仕切り線材２５で支持させ、そのやや上部を仕切り線材９の水平部１２で支持させ、皿１３を２箇所で安定に支持して収納することが可能となる。
【００４６】
以上、本発明に係る皿立てを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
以上の構成から成る本発明に係る皿立ては、昇降棚付きキャビネット内において使用してもよいが、その他の構造のキッチンキャビネット等の収納庫、天板等に置いて利用してもよい。
【図面の簡単な説明】
【００４８】
【図１】本発明の実施例１を説明する図である。
【図２】本発明の実施例２を説明する図である。
【図３】本発明の実施例３を説明する図である。
【図４】本発明の実施例３の変形例を説明する図である。
【図５】従来例を説明する図である。
【符号の説明】
【００４９】
１、２１、２３、２３’、２８  皿立て                     
２  側面部 
２ｕ  下縁線部
２’  側面部から伸びた脚                    
３  側面部の前面の下端角部     
４  前線材部                   
５  側面部の後面の上端角部     
６  側面部の後面の下端角部     
７、８  後線材部                 
９、３０  仕切り線材                 
１０  仕切り線材間の隙間       
１１  仕切り線材の垂直部       
１２  仕切り線材の水平部       
１３  皿                       
１４  隙間の前端               
１５、１５’  皿受け線材               
１６  昇降棚               
１７  昇降収納庫内の設置面       
１８  皿止め線材               
１９  皿保持線材               
２０  脚線材                   
２２  （斜め）下部仕切り線材           
２４  架け渡し線材             
２５  （水平）下部仕切り線材           
２６  大きな皿                 
２７  収納庫の頂壁 
２９  基枠線材
３０  昇降棚付きキャビネット
３１  壁
３２  昇降棚付きキャビネットの本体
【図１】
2008018005.tif 000003
【図２】
2008018005.tif 000004
【図３】
2008018005.tif 000005
【図４】
2008018005.tif 000006
【図５】
2008018005.tif 000007